(57)【要約】      （修正有）【課題】唾液成分を容易に解析することが可能な歯ブラシキット及びコンピュータプログラムを提供する。【解決手段】解析システム１００は、情報処理装置１、端末装置２、歯ブラシキット３を含む。歯ブラシキット３には、第１ヘッド部４、第２ヘッド部５、及び柄部６で構成される歯ブラシ３１が含まれる。また歯ブラシキット３には、第１ヘッド部４の先端に収容して使用される検査用紙プレート７及びＭＥＭＳチップ８、並びに解析器９が含まれる。【選択図】図１
2020186998.tif 000002
【特許請求の範囲】
【請求項１】
ヘッド部の先端に収容部を有する歯ブラシのヘッド部と、
前記収容部に収容される検査用紙プレートと
を含む歯ブラシキット。
【請求項２】
前記検査用紙プレートは、ｐＨを検出する第１検査用紙を備える
請求項１に記載の歯ブラシキット。
【請求項３】
前記検査用紙プレートは、ストレスレベル検出用抗体の標識抗体を含む第２検査用紙を備える
請求項１に記載の歯ブラシキット。
【請求項４】
前記検査用紙プレートは、ｐＨを検出する第１検査用紙及びストレスレベル検出用抗体の標識抗体を含む第２検査用紙を備える
請求項１に記載の歯ブラシキット。
【請求項５】
前記ヘッド部は、前記検査用紙プレートの前記収容部への収容を保持する蓋部を備え、
前記蓋部には、唾液を前記検査用紙プレートに導く導入穴が設けられている
請求項１から請求項４のいずれか１項に記載の歯ブラシキット。
【請求項６】
前記ヘッド部の着脱が可能な前記歯ブラシの柄部を含み、
前記柄部には、口臭を検出するガスセンサが備えられている
請求項１から請求項５のいずれか１項に記載の歯ブラシキット。
【請求項７】
前記検査用紙プレートの画像を取得し、取得した画像を解析する解析器
を含む請求項１から請求項６のいずれか１項に記載の歯ブラシキット。
【請求項８】
ヘッド部の先端に収容部を有する歯ブラシのヘッド部と、
前記収容部に収容されるＭＥＭＳチップと
を含む歯ブラシキット。
【請求項９】
前記ＭＥＭＳチップは、歯周病進行度の検出に用いられる
請求項８に記載の歯ブラシキット。
【請求項１０】
前記ＭＥＭＳチップは、心疾患リスクの検出に用いられる
請求項８に記載の歯ブラシキット。
【請求項１１】
前記ＭＥＭＳチップは、口腔ガンリスクの検出に用いられる
請求項８に記載の歯ブラシキット。
【請求項１２】
前記ＭＥＭＳチップを挿入する挿入部を備え、挿入された前記ＭＥＭＳチップを解析する解析器
を含む請求項８から請求項１１のいずれか１項に記載の歯ブラシキット。
【請求項１３】
前記収容部には、前記ＭＥＭＳチップ及び検査用紙プレートが収容される
請求項８から請求項１２のいずれか１項に記載の歯ブラシキット。
【請求項１４】
前記解析器は、検査用紙プレートを挿入する第２挿入部を備える
請求項１２に記載の歯ブラシキット。
【請求項１５】
第１ヘッド部の先端に収容部を有する歯ブラシの第１ヘッド部及び前記収容部に収容される検査用紙プレートを含む歯ブラシキットの前記検査用紙プレートの画像情報を取得し、
取得した画像情報の解析結果を出力する
処理をコンピュータに実行させるコンピュータプログラム。
【請求項１６】
前記検査用紙プレートは、ｐＨを検出する第１検査用紙を備え、
前記解析結果は、前記第１検査用紙を用いて導出されるｐＨ値を含む
請求項１５に記載のコンピュータプログラム。
【請求項１７】
前記検査用紙プレートは、ストレスレベル検出用抗体の標識抗体を含む第２検査用紙を備え、
前記解析結果は、前記第２検査用紙を用いて導出されるストレスレベルを含む
請求項１５又は請求項１６に記載のコンピュータプログラム。
【請求項１８】
口腔内を撮影するカメラを備える前記歯ブラシの第２ヘッド部のカメラで撮影された口腔内の撮影画像を取得し、
取得した前記撮影画像と前記解析結果とを出力する
請求項１５から請求項１７のいずれか１項に記載のコンピュータプログラム。
【請求項１９】
前記第１ヘッド部の着脱が可能な前記歯ブラシの柄部に備えられる口臭を検出するガスセンサで検出される検出値を取得し、
取得した前記検出値を出力する
請求項１５から請求項１８のいずれか１項に記載のコンピュータプログラム。
【請求項２０】
ヘッド部の先端に収容部を有する歯ブラシのヘッド部及び前記収容部に収容されるＭＥＭＳチップを含む歯ブラシキットの前記ＭＥＭＳチップの解析結果を取得し、
取得した解析結果を出力する
処理をコンピュータに実行させるコンピュータプログラム。
【請求項２１】
前記解析結果は歯周病進行度を含む
請求項２０に記載のコンピュータプログラム。
【請求項２２】
前記解析結果は心疾患リスクを含む
請求項２０に記載のコンピュータプログラム。
【請求項２３】
前記解析結果は口腔ガンリスクを含む
請求項２０に記載のコンピュータプログラム。
【発明の詳細な説明】
【技術分野】
【０００１】
本技術は、歯ブラシキット及びコンピュータプログラムに関する。
【背景技術】
【０００２】
従来、歯周病をはじめとする口腔内の状態に関する各種の検査方法が開示されている。主な検査方法としては、プロービングによる方法、Ｘ線写真を用いたレントゲン検査方法、細菌検査を利用した検査方法等がある。
【０００３】
プロービングによる方法では、プローベ（探針）と呼ばれる器具を患者の歯と歯茎との間に挿入し、プローベの挿入深さ、及びプローベ挿入時の歯茎からの出血の有無を目視する。また、特許文献１には、歯科用Ｘ線写真を用いて、患者に苦痛を与えることなしに歯周病の状態を客観的に示す指標を簡易かつ高精度で得ることが可能な検査方法が開示されている。
【先行技術文献】
【特許文献】
【０００４】
【特許文献１】特開２０１４−１８４３４６号公報
【発明の概要】
【発明が解決しようとする課題】
【０００５】
しかしながら、従来の方法の多くは、まず患者が歯科医に行き検査を受けることを前提としており、患者に自覚症状が無い場合、又は患者が積極的に意識をしない場合には検査の機会が得られないという問題がある。また、検査方法によっては、検査結果が得られるまでに長時間を有する。従って、症状の悪化を防止出来ないケースが考えられる。
【０００６】
本開示の目的は、唾液成分を容易に解析することが可能な歯ブラシキット等を提供することにある。
【課題を解決するための手段】
【０００７】
本開示の一態様に係る歯ブラシキットは、ヘッド部の先端に収容部を有する歯ブラシのヘッド部と、前記収容部に収容される検査用紙プレートとを含む。
【０００８】
本開示の一態様に係る歯ブラシキットは、ヘッド部の先端に収容部を有する歯ブラシのヘッド部と、前記収容部に収容されるＭＥＭＳチップとを含む。
【０００９】
本開示の一態様に係るコンピュータプログラムは、第１ヘッド部の先端に収容部を有する歯ブラシの第１ヘッド部及び前記収容部に収容される検査用紙プレートを含む歯ブラシキットの前記検査用紙プレートの画像情報を取得し、取得した画像情報の解析結果を出力する処理をコンピュータに実行させる。
【００１０】
本開示の一態様に係るコンピュータプログラムは、ヘッド部の先端に収容部を有する歯ブラシのヘッド部及び前記収容部に収容されるＭＥＭＳチップを含む歯ブラシキットの前記ＭＥＭＳチップの解析結果を取得し、取得した解析結果を出力する処理をコンピュータに実行させる。
【発明の効果】
【００１１】
本開示によれば、唾液成分を容易に解析することが可能な歯ブラシキット等を提供することができる。
【図面の簡単な説明】
【００１２】
【図１】解析システムの概要を示す図である。
【図２】検査用紙プレートの構成を説明する説明図である。
【図３】第１ヘッド部及び柄部の構成を説明する説明図である。
【図４】解析システムに含まれる情報処理装置の内部構成を示すブロック図である。
【図５】解析システムに含まれる端末装置の内部構成を示すブロック図である。
【図６】解析システムに含まれる解析器の内部構成を示すブロック図である。
【図７】解析システムが実行する処理手順の一例を示すフローチャートである。
【図８】解析システムが実行する処理手順の一例を示すフローチャートである。
【図９】端末装置の表示部に表示される画面例を示す図である。
【図１０】端末装置の表示部に表示される画面例を示す図である。
【図１１】端末装置の表示部に表示される画面例を示す図である。
【図１２】端末装置の表示部に表示される画面例を示す図である。
【図１３】実施形態２における解析システムに含まれる端末装置の内部構成を示すブロック図である。
【図１４】実施形態２における第１ヘッド部の構成を説明する説明図である。
【図１５】実施形態２における解析システムが実行する処理手順の一例を示すフローチャートである。
【発明を実施するための形態】
【００１３】
本発明をその実施の形態を示す図面を参照して具体的に説明する。
（実施形態１）
図１は、解析システム１００の概要を示す図である。実施形態１の解析システム１００は、情報処理装置１、端末装置２、歯ブラシキット３を含む。歯ブラシキット３には、第１ヘッド部４、第２ヘッド部５、及び柄部６で構成される歯ブラシ３１が含まれる。また歯ブラシキット３には、第１ヘッド部４の先端に収容して使用される検査用紙プレート７及びＭＥＭＳチップ８、並びに解析器９が含まれる。
【００１４】
解析システム１００では、検査用紙プレート７及びＭＥＭＳチップ８を用いて、使用者の唾液に含まれる疾患リスクの指標となる成分所定成分の検出及び解析を行い、使用者の疾患リスクを判定する。
【００１５】
情報処理装置１及び端末装置２はそれぞれ、所謂インターネット等のネットワークＮを介して通信接続し、情報を送受信することが可能である。また、端末装置２は、歯ブラシ３１及び解析器９との間で有線又は無線により通信接続し、情報を送受信することが可能である。
【００１６】
情報処理装置１は様々の情報処理、情報の送受信が可能な情報処理装置であり、例えばサーバコンピュータ、パーソナルコンピュータ等である。情報処理装置１は複数台設けられてもよいし、１台の情報処理装置内に設けられた複数の仮想マシンによって実現されてもよいし、クラウドサーバを用いて実現されてもよい。
【００１７】
端末装置２は、歯ブラシキット３の使用者が管理する端末装置であり、例えばスマートフォン、タブレット端末等の通信機能を有する汎用の情報端末装置である。後述する特定のプログラムにより、表示部２４に情報処理装置１から得られる結果情報を出力するインタフェース、情報処理装置１との間の通信の仲介として機能する。
【００１８】
歯ブラシ３１は、使用者の口腔内に挿入される第１ヘッド部４、第２ヘッド部５、及び使用者の手に握られる柄部６で構成されている。第１ヘッド部４及び第２ヘッド部５は、柄部６に対して着脱が可能である。第１ヘッド部４は、歯を磨く毛を備えた通常の歯ブラシとしての機能に加え、先端に開閉機構を有し、内部に検査用紙プレート７及びＭＥＭＳチップ８を収容することができる。第２ヘッド部５は、内部に可動式カメラ５１を備えており、口腔内を撮影することができる。可動式カメラ５１は、レンズ及び撮像素子等を有する撮像装置でありレンズを介して入射した光を撮像素子にて光電変換して画像データを取得する。
【００１９】
検査用紙プレート７は、唾液に含まれる成分を検出するための検査用紙を備える検査用プレートである。図２は、検査用紙プレート７の構成を説明する説明図である。検査用紙プレート７は、２枚の矩形のプレート７３，７４を合わせてなり、例えば樹脂又はガラス等の材料を用いる。下側のプレート７３の上には、図２中に二点鎖線で示す様に、第１検査用紙７１及び第２検査用紙７２が並べられ、上側のプレート７４で挟持されている。プレート７４には、第１検査用紙７１及び第２検査用紙７２の位置に対応して、複数の微小な孔７４１が設けられている。孔７４１を通って、唾液が第１検査用紙７１及び第２検査用紙７２へと染み込む。なお、本実施形態では第１検査用紙７１及び第２検査用紙７２が検査用紙プレート７に挟まれている例を説明したが、第１検査用紙７１及び第２検査用紙７２は、プレートに挟まれているものに限られず、検査用紙のみであってもよい。この場合においては、第１検査用紙７１及び第２検査用紙７２を直接第１ヘッド部４に挿入する。また、検査用紙プレート７には、第１検査用紙７１又は第２検査用紙７２のいずれか一方のみが備えられていてもよい。
【００２０】
第１検査用紙７１は、虫歯リスクを検出するためのものであり、唾液のｐＨを測定するｐＨ試験紙を用いる。検査方法は、公知の技術を用いるとよい。口腔内の酸性度が酸性に近くなれば、虫歯リスクが高くなる。また、唾液は口腔内のｐＨの傾きを中性にするために緩衝する作用を有する。これらの知見に基づき、唾液のｐＨを測定することで虫歯リスクの判定を行う。
【００２１】
第２検査用紙７２は、ストレスレベルを検出するためのものであり、例えば唾液に含まれるストレスレベル検出用抗体の標識抗体を含む検査用紙を用いる。検査方法は、公知の技術を用いるとよい。例えば、抗原抗体反応を利用し、アフィニティークロマトグラフィーにより、標識抗体を含ませた第２検査用紙の色相変化を解析することで、ストレスレベルを判定する。ストレスレベル検出用抗体は例えばコルチゾールであり、コルチゾールの標識抗体にはモノクローナル抗体を使用する。ストレスレベルが高い状態にある場合には、コルチゾールが多く唾液中に分泌されるという知見に基づき、唾液中のコルチゾール量を検出することで、ストレスレベルの判定を行う。
【００２２】
ＭＥＭＳチップ８は、唾液に含まれるバイオマーカーを検出するための検査用チップである。ＭＥＭＳチップ８は、唾液の通流する微小流路を有し、唾液に含まれるバイオマーカーの検出に用いることができる。
【００２３】
ＭＥＭＳチップ８を用いたバイオマーカーの検出方法は、公知の技術を用いるとよい。例えば、ＭＥＭＳチップ８に電圧を印加することで、バイオマーカーを検出するとよい。ＭＥＭＳチップ８は、互いに絶縁されて隣り合う櫛歯型の第１電極及び第２電極と、前記第１電極及び前記第２電極に沿い内側に前記第１電極及び前記第２電極が露出している第１流路及び第２流路と、前記第１流路及び前記第２流路を介して前記第１電極及び前記第２電極に対向配置されている第３電極とを備える。第１流路及び第２流路は、バイオマーカーを含む唾液が通流する微小流路である。第１流路及び第２流路に唾液が流入したＭＥＭＳチップ８の第１電極及び第２電極と第３電極との間に直流電圧を印加し、唾液に含まれているバイオマーカーを第１流路及び第２流路の第１電極及び第２電極に近い側の方が遠い側よりも濃度が高くなるように濃縮する。ついで第１電極及び第２電極の間に交流電圧を印加し、第１電極と第２電極との間のインピーダンス特性を測定する。測定したインピーダンス特性に基づいて、唾液中に含まれるバイオマーカーを検出することができる。
【００２４】
ＭＥＭＳチップ８で検出されるバイオマーカーの第１例は、ＣＲＰ（C-Reactive Protein）である。ＣＲＰは炎症の指標として用いられるタンパク質であり、歯周病の初期の段階（歯肉炎の段階）から血中に放出され唾液に混入する。従って、唾液中に含まれるＣＲＰを検出することで、歯周病の進行度の判定が可能である。またＣＲＰは、歯周病の他、心筋梗塞等の心疾患、及び口腔ガンの進行度の指標ともなる。
【００２５】
バイオマーカーの第２例は、Ｌｆ（ラクトフェリン）である。Ｌｆは炎症の指標として用いられるタンパク質であり、歯周病の進行度の指標となる。バイオマーカーの第３例は、ＡＴ（α１アンチトリプシン）である。ＡＴは炎症性の出血の指標として用いられるタンパク質であり、歯周病の進行度の指標となる。バイオマーカーの第４例は、サイトカイン（ＩＬ−８、ＩＬ−１α等）である。サイトカインは炎症の指標として用いられるタンパク質であり、歯肉炎の進行度の指標となる。
【００２６】
なお、上記ではＭＥＭＳチップ８に電圧を印加することでバイオマーカーを検出する例を説明したが、ＭＥＭＳチップ８を用いたバイオマーカーの検出方法は限定されるものでない。例えば、ＭＥＭＳチップ８にバイオマーカーの酵素標識抗体を固定化させ、抗原抗体反応を用いてバイオマーカーの検出を行ってもよい。ＭＥＭＳチップ８に唾液が通流すると、唾液に含まれるバイオマーカーと酵素標識抗体が反応する。蛍光基質等を用いて酵素標識抗体の蛍光濃度を観察することで唾液中のバイオマーカー量を測定することができる。
【００２７】
抗原抗体反応を用いた疾患リスクの検出例としては、他にも以下が挙げられる。ＨＡＶ（hepatitis A virus）抗原、ＨＢＶ（hepatitis B virus）抗原、及びＨＣＶ（hepatitis C virus）抗原を検出することで、肝炎リスクの判定ができる。ＨＨＶ（ヒトへルペスウイルス）−１抗原及びＨＨＶ−８抗原を検出することで、ヘルペス性口内炎リスク、口唇ヘルペスリスクの判定ができる。ＥＢＶ（エプスタイン・バーウイルス）抗原を検出することで、カポジ肉腫（エイズ）リスクの判定ができる。ＣＭＶ(サイトメガロウイルス)抗原を検出することで、ＣＭＶ感染症リスクの判定ができる。インフルエンザウイルス抗原を検出することで、インフルエンザリスクの判定ができる。上記の抗原抗体をＭＥＭＳチップ８により検出してもよい。また、ＭＥＭＳチップ８には、複数のバイオマーカーを検出する抗体が用いられてもよい。複数のバイオマーカーを用いることで、疾患リスクの診断精度を高めることが可能である。
【００２８】
また、バイオマーカーを分析することで判定が可能な疾患リスクの他の例として、唾液中に含まれるｍｉＲＮＡ（micro RNA）又はｍＲＮＡ（messenger RNA）等の機能性核酸を用いて口腔がん、すい臓がんのリスクを判定するものが挙げられる。例えば、ＭＥＭＳチップ８を用いてｍｉＲＮＡ又はｍＲＮＡを利用したゲノム診断を行うことで、口腔がん等の悪性度の検査が可能である。
【００２９】
解析器９は、検査用紙プレート７及びＭＥＭＳチップ８を用いて、唾液に含まれる疾患リスクの指標となる成分の解析を行う解析器である。解析器９は、唾液に含まれる検出対象物質が、色素材を含む専用検査用紙に反応することによって出現する呈色又は変色を測定し、唾液における検出対象物質の存在の有無を判定する検査用紙解析部、及び、唾液に含まれるバイオマーカーの存在の有無を判定するＭＥＭＳ解析部を備えた解析装置である。解析器９は、柄部６を接続させることで充電器としても機能する。
【００３０】
図３は、第１ヘッド部４及び柄部６の構成を説明する説明図である。第１ヘッド部４は、先端に開閉機構を有する先端部４１及び他端部４６を備える。先端部４１は、ヘッド本体部４２及びヘッド本体部４２の上側に取り付けられた蓋部４３からなる。ヘッド本体部４２と蓋部４３とは、夫々の周縁の一部を連続部４４として連続する。ヘッド本体部４２の下側には、使用者の歯磨きに使用されるための、例えばナイロン等の毛が接着されている。なお、毛の材料及び取り付け方法は限定されない。
【００３１】
ヘッド本体部４２には、収容部４２１が設けられている。収容部４２１は、凹状に形成される矩形の第１収容部４２２及び第２収容部４２３を有する。第１収容部４２２には、検査用紙プレート７が収容される。第１収容部４２２の下側に設けられた第２収容部４２３には、ＭＥＭＳチップ８が収容される。第１収容部４２２及び第２収容部４２３のサイズは、夫々検査用紙プレート７及びＭＥＭＳチップ８に対応している。
【００３２】
検査用紙プレート７及びＭＥＭＳチップ８は、蓋部４３を開け収容部４２１に収容し、蓋部４３を閉じることで先端部４１に収容を保持される。蓋部４３には、収容された検査用紙プレート７及びＭＥＭＳチップ８に唾液を導入するための複数の導入穴４３１が設けられている。導入穴４３１は、微小な穴であり、蓋部４３を閉じた場合に検査用紙プレート７及びＭＥＭＳチップ８の上部となる位置に設けられている。なお、本実施形態では、ヘッド本体部４２の開閉機構により検査用紙プレート７及びＭＥＭＳチップ８が収容部４２１に収容される構成としたが、検査用紙プレート７及びＭＥＭＳチップ８を先端部４１に収容する方法は限定されるものではない。例えば、先端部４１の一部に、収容部４２１に連続する挿入口及び該挿入口を覆う蓋部を設け、挿入口から検査用紙プレート７及びＭＥＭＳチップ８を挿入し、蓋部で覆うことで収容してもよい。
【００３３】
なお、上記では第１ヘッド部４の収容部４２１に検査用紙プレート７と、ＭＥＭＳチップ８とが収容される構成を説明したが、第１ヘッド部４の構成は限定されるものではない。第１ヘッド部４は、検査用紙プレート７の第１収容部４２２、又はＭＥＭＳチップ８の第２収容部４２３のみを備えていてもよい。
【００３４】
柄部６は細長い形状であり、先端に突出するように設けられている突出部６１を有する。該突出部６１が、第１ヘッド部４の他端部４６の内周面に嵌着される。なお、突出部６１は、第２ヘッド部５にも嵌着することが可能である。第２ヘッド部５は突出部６１を通して柄部６と電気的に接続される。柄部６の内部には、歯ブラシ３１を電動歯ブラシとして使用可能にするための図示しないモータ、各種処理回路、充電池、充電コイル等が搭載されている。また、柄部６の内部には、温度センサ６２、ガスセンサ６３、加速度センサ６４、ジャイロセンサ６５等の各種センサが搭載されている。これらの各種センサにより、使用者の歯ブラシ３１使用時の各種情報が出力され、出力された各種情報は、端末装置２を介して情報処理装置１へと送信される。
【００３５】
柄部６の外面には、電源スイッチ６８及び十字コントローラ６９が設けられている。電源スイッチ６８は、モータに接続されており、電源のオン／オフを行うためのスイッチである。十字コントローラ６９は、第２ヘッド部５に備えられる可動式カメラ５１の撮影方向を制御するためのコントローラである。
【００３６】
なお、本実施形態では、検査用紙プレート７及びＭＥＭＳチップ８が収容可能される第１ヘッド部４と、カメラ機能を有する第２ヘッド部５とが異なる別のヘッド部として構成される例を説明したが、第１ヘッド部４及び第２ヘッド部５の機能を有する１つのヘッド部として構成されていてもよい。ヘッド部は、検査用紙プレート７及びＭＥＭＳチップ８を収容可能であり、さらにカメラ機能を備えていてもよい。
【００３７】
本実施形態では、歯ブラシ３１が電動歯ブラシとしての機能を有し、第１ヘッド部４及び第２ヘッド部５が柄部６に対して着脱可能に構成される例を説明したが、歯ブラシの構成は限定されるものではない。歯ブラシ３１は、ヘッド部と柄部が一体であってもよく、電動機能を有していなくてもよく、使い捨てタイプであってもよい。
【００３８】
図４は、解析システム１００に含まれる情報処理装置１の内部構成を示すブロック図である。情報処理装置１は上述したように、サーバコンピュータを用いる。情報処理装置１は、制御部１０、記憶部１１、及び通信部１２を備える。
【００３９】
制御部１０は、一又は複数のＣＰＵ（Central Processing Unit ）又はＧＰＵ（Graphics Processing Unit）等を用いたプロセッサであり、内蔵するＲＯＭ（Read Only Memory）及びＲＡＭ（Random Access Memory）等のメモリを用いて各構成部を制御して処理を実行する。制御部１０は、記憶部１１に記憶されているプログラム１Ｐに基づく情報処理を実行する。
【００４０】
通信部１２は、通信に関する処理を行うための通信モジュールである。制御部１０は通信部１２により、ネットワークＮを介した通信が可能である。
【００４１】
記憶部１１は、大容量メモリ、ハードディスク等を用いる。記憶部１１は、プログラム１Ｐを記憶しているほか、制御部１０が参照する他のプログラム及びデータを記憶する。プログラム１Ｐは、制御部１０が通信部１２を介してネットワークＮ経由で外部装置からダウンロードして記憶部１１に記憶したものであってもよい。プログラム１Ｐは、制御部１０が図示しない読み取り部を介して可搬型記憶媒体１ａから読み取って記憶部１１に記憶したものであってもよい。プログラム１Ｐは、制御部１０が半導体メモリ１ｂから読み出したものであってもよい。
【００４２】
記憶部１１はまた、結果情報ＤＢ（Data Base ：データベース）１１１を記憶している。制御部１０は、検査用紙プレート７及びＭＥＭＳチップ８の解析結果、各種センサの測定結果、可動式カメラ５１の撮影画像、使用者の識別情報等を端末装置２から取得し、結果情報ＤＢ１１１に記憶する。
【００４３】
図５は、解析システム１００に含まれる端末装置２の内部構成を示すブロック図である。端末装置２は上述したように、スマートフォン等の通信機能を有するコンピュータを用いる。端末装置２は、制御部２０、記憶部２１、第１通信部２２、第２通信部２３、表示部２４、及び操作部２５を備える。
【００４４】
制御部２０は、一又は複数のＣＰＵ又はＧＰＵ等を用いたプロセッサであり、内蔵するＲＯＭ及びＲＡＭ等のメモリを用いて各構成部を制御して処理を実行する。制御部２０は、プロセッサ、メモリ、記憶部２１、第１通信部２２、及び第２通信部２３を集積した１つのハードウェア（ＳｏＣ：System On a Chip）として構成されていてもよい。制御部２０は、記憶部２１に記憶されているプログラム２Ｐに基づく情報処理を実行する。
【００４５】
記憶部２１は、例えばフラッシュメモリ等の不揮発性メモリを用いる。記憶部２１は、プログラム２Ｐを記憶しているほか、制御部２０が参照する他のプログラム及びデータを記憶する。プログラム２Ｐは、制御部２０が第１通信部２２を介してネットワークＮ経由で外部装置からダウンロードして記憶部２１に記憶したものであってもよい。プログラム２Ｐは、制御部２０が図示しない読み取り部を介して可搬型記憶媒体２ａから読み取って記憶部２１に記憶したものであってもよい。プログラム２Ｐは、制御部２０が半導体メモリ２ｂから読み出したものであってもよい。
【００４６】
第１通信部２２は、ネットワークＮを介して、又は所定の移動通信規格によって情報処理装置１との間の情報の送受信を実現する無線通信モジュールである。第１通信部２２は、ネットワークカードを用いて有線によりネットワークＮを介した通信を行なってもよい。
【００４７】
第２通信部２３は、例えばBluetooth（登録商標）、Low Energy 等の近距離無線通信用のアンテナを含む無線通信モジュールにより、歯ブラシ３１との間の通信を実現する。第２通信部２３は、ＵＳＢに基づく通信インタフェースであってもよい。
【００４８】
表示部２４は、液晶パネル又は有機ＥＬ（Electro Luminescence）ディスプレイ等のディスプレイ装置を用いる。操作部２５は、利用者の操作を受け付けるインタフェースであり、物理ボタン、ディスプレイ内蔵のタッチパネルデバイス等を用いる。操作部２５は、スピーカ及びマイクロフォン等を用い、マイクロフォンにて入力音声から操作内容を認識し、スピーカで出力する音声との対話形式で操作を受け付けてもよい。
【００４９】
図６は、解析システム１００に含まれる解析器９の内部構成を示すブロック図である。解析器９は、制御部９０、記憶部９１、通信部９２、検査用紙解析部９３、及びＭＥＭＳ解析部９４を備える。
【００５０】
制御部９０は、プロセッサを含むマイクロコンピュータを用いて内蔵ＲＯＭに記憶されているプログラムを実行することによって検査用紙解析部９３及びＭＥＭＳ解析部９４を制御する。
【００５１】
記憶部９１は例えばフラッシュメモリ等の不揮発性メモリを用いる。記憶部９１には、制御部９０が参照する情報を記憶してある。
【００５２】
通信部９２は例えば Bluetooth、 Low Energy 等の近距離無線通信用のアンテナを含む無線通信モジュールであり、制御部９０から出力される情報を端末装置２へ送信する。通信部９２は、ＵＳＢによる有線通信インタフェースであってもよい。
【００５３】
検査用紙解析部９３は、ＣＭＯＳ（Complementary Metal Oxide Semiconductor ）、又はＣＣＤ（Charge Coupled Device ）等のイメージセンサを内蔵し、検査用紙プレート７を挿入するための第２挿入部９３１を有している。検査用紙解析部９３は、第２挿入部９３１に挿入された検査用紙プレート７の第１検査用紙７１及び第２検査用紙７２の画像情報を取得し、呈色又は変色を検出する。
【００５４】
ＭＥＭＳ解析部９４は、ＭＥＭＳチップ８を挿入するための第１挿入部９４１を有している。ＭＥＭＳ解析部９４は、ＭＥＭＳチップ８によりバイオマーカーを検出する。ＭＥＭＳ解析部９４は、バイオマーカーの検出方法に応じて、例えば遠心機能、インピーダンス測定機能等を備えていてよい。
【００５５】
上記のように構成される解析システム１００で、使用者の唾液成分の解析が行われる。図７及び図８は解析システム１００が実行する処理手順の一例を示すフローチャートである。以下の処理は、端末装置２の記憶部２１に記憶してあるプログラム２Ｐに従って制御部２０によって実行されると共に、情報処理装置１の記憶部１１に記憶してあるプログラム１Ｐに従って制御部１０によって実行され、解析器９の記憶部９１に記憶してあるプログラムに従って制御部９０によって実行される。なお、使用者が初めて解析システム１００におけるサービスを用いる際には、情報処理装置１にて提供される登録用の画面上において、使用者が端末装置２で登録操作をすることにより、使用者の識別情報が収集されるとよい。
【００５６】
端末装置２の制御部２０は、例えば操作部２５を介してプログラム２Ｐの実行指示を受け付け、プログラム２Ｐを起動させ（ステップＳ１０１）、歯ブラシ３１及び解析器９との間で通信接続を確立させる。解析器９の制御部９０は、通信部９２から端末装置２との間で通信接続を確立させる。なお通信部９２による端末装置２との通信接続は、解析器９が起動中は常時的に確立されていてもよいし、後述する手順の内の送受信のタイミングの都度接続するようにしてもよい。
【００５７】
使用者は、第１ヘッド部４の収容部４２１に検査用紙プレート７及びＭＥＭＳチップ８を収容し、柄部６に第１ヘッド部４を装着する。使用者は歯ブラシ３１の電源をオンにして歯磨きを開始する。歯ブラシ３１では、各種センサが測定を開始する。例えば、温度センサ６２からは使用者の体温が検出される。ガスセンサ６３からは、使用者の口臭レベルを示す硫化水素量が検出される。加速度センサ６４及びジャイロセンサ６５からは、歯ブラシ３１の位置及び角度が検出される。制御部２０は、第２通信部２３により歯ブラシ３１の各種センサの測定値を取得する（ステップＳ１０２）。制御部２０は、第１通信部２２により取得したセンサの測定値を情報処理装置１に送信する（ステップＳ１０３）。情報処理装置１の制御部１０は、通信部１２により測定値を取得する（ステップＳ２０１）。
【００５８】
所定時間経過後、使用者は歯ブラシ３１の電源をオフにして歯磨きを終了する。使用者は、歯磨きが終了した後、歯ブラシ３１から検査用紙プレート７及びＭＥＭＳチップ８を取り出し解析器９に挿入する。解析器９の検査用紙解析部９３は、第２挿入部９３１に挿入される検査用紙プレート７の解析を行う。検査用紙プレート７の第１検査用紙７１及び第２検査用紙７２には、歯磨き中に導入穴４３１から検査用紙プレート７の孔７４１を通して唾液が染み込んでおり、唾液成分に反応して呈色又は変色が出現している。
【００５９】
検査用紙解析部９３は、第１検査用紙７１及び第２検査用紙７２の撮影画像情報を取得する。検査用紙解析部９３は、画像解析を行い、第１検査用紙７１の撮影画像の画素値から、ｐＨ値を特定する。検査用紙解析部９３は、予め記憶する基準画素値との比較により第１検査用紙７１のｐＨ値を特定する。同様に検査用紙解析部９３は、第２検査用紙７２の撮影画像の画素値から、コルチゾール量を特定する。検査用紙解析部９３は、予め記憶する基準画素値との比較により第２検査用紙７２のコルチゾール量を特定する。制御部９０は、検査用紙解析部９３から検査用紙の解析結果を取得する（ステップＳ３０１）。
【００６０】
ＭＥＭＳ解析部９４は、第１挿入部９４１に挿入されるＭＥＭＳチップ８の解析を行う。ＭＥＭＳチップ８の解析方法は、例えば抗体反応等の公知の技術を用いる。ＭＥＭＳチップ８には、例えば緩衝液を含む緩衝液槽、蛍光基質が乾燥固定された基質槽、バイオマーカーが固相化された反応槽、及び酵素標識抗体が乾燥固定された酵素標識抗体槽等を含む複数の槽が備えられ、各槽は微小流路により繋がれている。ＭＥＭＳチップ８の酵素標識抗体槽に唾液が導入されると、ＭＥＭＳチップ８に固定化されていた酵素標識抗体が唾液に溶け込む。ＭＥＭＳ解析部９４が遠心機能によりＭＥＭＳチップ８を攪拌させると、競合反応が起こる。ＭＥＭＳ解析部９４は、ＭＥＭＳチップ８を一定時間反応させた後、緩衝液槽から緩衝液を流入され、蛍光基質を溶け込ませる。ＭＥＭＳ解析部９４がＭＥＭＳチップ８を攪拌させると、酵素標識抗体と蛍光基質が反応し、標識抗体濃度に比例した蛍光強度が観察される。ＭＥＭＳ解析部９４は、蛍光強度を解析し、唾液中のバイオマーカー量を検出する。制御部９０は、ＭＥＭＳ解析部９４からＭＥＭＳチップ８の解析結果を取得する（ステップＳ３０２）。制御部９０は、通信部９２により取得した解析結果情報を端末装置２に送信する（ステップＳ３０３）。端末装置２の制御部２０は、第２通信部２３により解析結果情報を取得し（ステップＳ１０４）、取得した解析結果情報を情報処理装置１に送信する（ステップＳ１０５）。
【００６１】
情報処理装置１の制御部１０は、通信部１２により解析結果情報を取得する（ステップＳ２０２）。制御部１０は、取得した解析結果及びセンサの測定結果を含む結果情報を結果情報ＤＢ１１１に記憶する（ステップＳ２０３）。
【００６２】
制御部１０は、結果情報ＤＢ１１１を参照して、使用者の疾患リスク等を表示させる表示画面情報を作成する。第１検査用紙７１のｐＨ値は、使用者の虫歯リスクを示す。例えば第１検査用紙が赤色に近い色である場合には唾液のｐＨは酸性に近い値となり、口腔内の酸性度が低いことを示す。第１検査用紙が緑色に近い色である場合には唾液のｐＨはアルカリ性に近い値となり、口腔内の酸性度が高い、すなわち虫歯リスクが高いことを示す。
【００６３】
第２検査用紙７２のコルチゾール（ストレス検出用抗体）量は、使用者のストレスレベルを示す。第２検査用紙には、コルチゾールに特異的に反応するコルチゾール標識抗体であるモノクローナル抗体が含まれているため、第２検査用紙の色相変化が多く起こった場合には、コルチゾールが多く唾液中に含まる、すなわちストレスレベルが高いことを示す。制御部１０は、予めコルチゾール量とストレスレベルとを対応付けてデータベースに記憶しておき、取得したコルチゾール量からストレスレベルを特定する。
【００６４】
ＭＥＭＳチップ８のバイオマーカーからは、該バイオマーカーを指標とする疾患のリスクが得られる。例えば、ＣＲＰの検出量からは、歯周病の進行度、心疾患のリスク等が特定される。制御部１０は、予めバイオマーカーの検出量と疾患リスクとを対応付けてデータベースに記憶しておき、取得したバイオマーカーの検出量から疾患リスクを特定する。制御部１０は、作成した結果表示画面情報を通信部１２により端末装置２に送信する（ステップＳ２０４）。
【００６５】
端末装置２の制御部２０は、第１通信部２２により結果表示画面情報を取得する（ステップＳ１０６）。制御部２０は、結果表示画面を表示部２４に表示させ（ステップＳ１０７）、一連の処理を終了する。
【００６６】
図９から図１１は、端末装置２の表示部２４に表示される画面例を示す図である。図９及び図１０は、結果表示画面２４１の内容例を示す図である。使用者は、表示部２４にて解析結果を認識することができる。図９及び図１０に示す様に、結果表示画面２４１は、検査用紙プレート７及びＭＥＭＳチップ８の解析結果情報と、各種センサの出力情報とが含まれる。結果表示画面２４１には、検査用紙プレート７の解析結果に基づく、使用者の唾液分析結果であるｐＨ値及びストレスレベルを示す情報が含まれる。図９の例では、ｐＨの解析結果は、例えばｐＨ値及びｐＨ値から判定される虫歯リスクの割合で表示されている。ストレスレベルは、例えば０から１００％の数値で表示されている。
【００６７】
また結果表示画面２４１には、各種センサからの出力情報が含まれる。センサからの出力情報には、温度センサ６２から取得される使用者の体温、ガスセンサ６３から取得される硫化水素の検出量を基に特定される口臭レベルが含まれる。情報処理装置１の制御部１０は、予め硫化水素の検出量と口臭レベルとを対応付けてデータベースに記憶しておき、取得した硫化水素の検出量から口臭レベルを特定する。口臭レベルは、例えば０から１００％の数値と、レベルの高低を示すイラストとで表示される。
【００６８】
さらにセンサからの出力情報には、使用者の歯磨き実績が含まれてもよい。制御部１０は、加速度センサ６４及びジャイロセンサ６５から得られる歯ブラシ３１の位置及び角度の検出結果を取得し、使用者が磨いた歯の位置及び磨いた時間を特定する。制御部２０は、特定した位置及び時間を基に、例えば磨き残しの程度を判定し、図９に示す様に、磨き残しの程度を歯の位置に対応させて色付けした歯磨き実績情報のイラストを含む画面情報を作成する。
【００６９】
さらに結果表示画面２４１には、ＭＥＭＳチップ８の解析結果に基づく使用者の疾患リスクを示す情報が含まれる。制御部１０は、ＭＥＭＳチップ８の種類を特定し、特定したＭＥＭＳチップ８の種類に応じた解析結果情報を含む画面を作成する。例えば、ＭＥＭＳチップ８により検出されるバイオマーカーがＣＲＰであった場合、導出される疾患リスクには心疾患のリスク、歯周病進行度等が含まれる。制御部１０は、ＭＥＭＳチップ８の解析結果から、バイオマーカー量に対応する各疾患リスクを取得し、結果情報を含む画面を作成する。図１０の例では、疾患リスクとして、歯周病の進行度及び心疾患のリスクが夫々０から１００％の数値で示されている。表示される疾患リスクは、心疾患のリスク、歯周病進行度、ＥＢＶ、肝炎、ＣＭＶ感染症、ヘルペス性口内炎、口唇ヘルペス、口腔がんのリスク、及びインフルエンザのリスクが含まれてよい。
【００７０】
また、結果表示画面２４１には過去の結果の履歴情報が含まれてもよい。図１１は履歴情報画面２４３の内容例を示す図である。制御部２０は、結果表示画面２４１に含まれる履歴表示の選択を受け付けるためのボタン２４２の選択を、操作部２５により受け付ける。制御部２０は、ボタン２４２の選択を受け付けた情報を情報処理装置１に送信する。情報処理装置１の制御部１０は、取得した情報に応じた履歴情報を含む履歴情報画面２４３を作成し、端末装置２に送信する。履歴情報画面２４３には、例えば所定期間のｐＨ値、ストレスレベル、体温等の各種項目の結果履歴の推移を示す情報が含まれる。図１１の例では、履歴情報画面２４３には、ｐＨ値の推移を示す表及びストレスレベルの推移を示す表が含まれている。ｐＨ値は棒グラフで示され、表の縦軸はｐＨ値、横軸はｐＨ値の測定日を示している。ストレスレベルは棒グラフで示され、表の縦軸はストレスレベルの割合、横軸はストレスレベルの測定日を示している。各種項目は夫々、例えば１ケ月、３ケ月、及び６ケ月等から選択される所定期間の結果推移を含む表にて表示される。制御部１０は、結果情報ＤＢ１１１に記憶される所定期間分の情報を読み出し、履歴情報画面を作成する。
【００７１】
また、使用者は、第１ヘッド部４に代え第２ヘッド部５を柄部６に装着し、口腔内の撮影を行ってもよい。撮影された画像は、端末装置２を介して情報処理装置１へ送信される。端末装置２の制御部２０は、ステップＳ１０２において、可動式カメラ５１により撮影された画像情報を歯ブラシ３１の内部の処理回路を通じて取得する。情報処理装置１の制御部１０は、端末装置２を介して撮影画像を取得し結果情報ＤＢ１１１に記憶する。制御部１０は、撮影画像情報を含む表示画面情報を作成し、端末装置２へ送信する。
【００７２】
図１２は、端末装置２の表示部２４に表示される画面例を示す図である。図１２は、カメラ画像表示画面２４４の例を示す。カメラ画像表示画面２４４は、可動式カメラ５１で撮影された画像が、結果情報と共に表示される。使用者は、自身の口腔内の画像と共に、唾液成分の解析結果を表示部２４にて認識することができる。
【００７３】
このように、歯ブラシキット３を用いて、使用者が容易に唾液成分を解析することが可能となる。使用者は、日々使用する歯ブラシに収容される検査用紙プレート７及びＭＥＭＳチップ８を用いて、使用者自身により容易に唾液成分の解析結果を得ることができる。使用者は、解析結果から疾患リスクを早期に認識することができる。
【００７４】
なお、上記では、第１ヘッド部４に検査用紙プレート７及びＭＥＭＳチップ８の両方が挿入される例を説明したが、第１ヘッド部４に検査用紙プレート７又はＭＥＭＳチップ８のいずれか一方のみが挿入されてもよい。使用者は、目的に応じて検査用紙プレート７、及びＭＥＭＳチップ８のいずれかを使用し唾液成分の解析を行うとよい。
【００７５】
解析システム１００はまた、例えば歯科医の管理する情報処理装置との情報の送受信を行うことで、遠隔指導等への利用も可能である。情報処理装置１の結果情報ＤＢ１１１に記憶される結果情報を送信することにより、さらには第２ヘッド部５の可動式カメラ５１によりリアルタイムで口腔内の撮影画像を送信することにより、使用者は離れた場所にある指導者と情報を共有することができる。
【００７６】
（実施形態２）
実施形態２では、解析器９に代替して、情報処理装置１及び端末装置２により検査用紙プレート７の解析が行われる。図１３は、実施形態２における解析システム２００に含まれる端末装置２の内部構成を示すブロック図である。実施形態２における解析システム２００の構成は、端末装置２のハードウェア構成の一部、第１ヘッド部の構成の一部、及び、解析システム２００が実行する処理の詳細が異なる以外は実施形態１と同様である。実施形態１と共通する構成には同一の符号を付して詳細な説明を省略する。
【００７７】
実施形態２の端末装置２は、撮像部２６を備える。撮像部２６は、ＣＭＯＳ又はＣＣＤ等のイメージセンサを備えた撮影装置であり、検査用紙プレート７を撮影する。制御部２０は、撮像部２６で撮影された画像を取得し、記憶部２１に画像データとして記憶させることが可能である。
【００７８】
図１４は、実施形態２における第１ヘッド部４の構成を説明する説明図である。実施形態２では、第１ヘッド部４の蓋部４３には、スリット４３３，４３３が形成されている。スリット４３３，４３３は、収容部４２１に検査用紙プレート７を収容し蓋部４３を閉じた場合に、検査用紙プレート７の第１検査用紙７１及び第２検査用紙７２の上に位置する場所に形成されている。従って、蓋部４３を閉じた状態で、第１検査用紙７１及び第２検査用紙を確認することができる。実施形態２では、使用者が端末装置２を用いて検査用紙プレート７の撮影を行う。使用者は、第１ヘッド部４から検査用紙プレート７を取り出すことなく、検査用紙プレート７を撮影することができる。スリット４３３，４３３は、唾液を検査用紙プレート７へ導入する導入穴４３１としても機能する。なお、第１ヘッド部４には、スリット４３３，４３３に加え、さらに導入穴４３１が設けられていてもよい。
【００７９】
実施形態２では、端末装置２で撮影される検査用紙プレート７の画像情報が、情報処理装置１により解析される。図１５は、実施形態２における解析システム２００が実行する処理手順の一例を示すフローチャートである。実施形態１の図７及び図８と共通する処理には同一のステップ番号を付して詳細な説明を省略する。以下の処理は、端末装置２の記憶部２１に記憶してあるプログラム２Ｐに従って制御部２０によって実行されると共に、情報処理装置１の記憶部１１に記憶してあるプログラム１Ｐに従って制御部１０によって実行される。
【００８０】
端末装置２の制御部２０は、例えば操作部２５を介してプログラム２Ｐの実行指示を受け付け、プログラム２Ｐを起動し（ステップＳ１０１）、歯ブラシ３１との間で通信接続を確立させる。使用者は、第１ヘッド部４の収容部４２１に検査用紙プレート７を収容し、柄部６に第１ヘッド部４を装着し、歯磨きを開始する。制御部２０は、第２通信部２３により歯ブラシ３１の各種センサの測定値を取得する（ステップＳ１０２）。制御部２０は、第１通信部２２により取得したセンサの測定値を情報処理装置１に送信する（ステップＳ１０３）。情報処理装置１の制御部１０は、通信部１２により測定値を取得する（ステップＳ２０１）。
【００８１】
所定時間経過後、使用者は歯磨きを終了する。使用者は、歯磨きが終了した後、端末装置２を用いて歯ブラシ３１の検査用紙プレート７を撮影する。端末装置２の制御部２０は、撮像部２６により撮影される検査用紙プレート７の撮影画像情報を取得する（ステップＳ１２１）。撮影画像には、呈色又は変色が出現している第１検査用紙及び第２検査用紙が含まれる。制御部２０は、第１通信部２２により取得した撮影画像情報を情報処理装置１に送信する（ステップＳ１２２）。
【００８２】
情報処理装置１の制御部１０は、通信部１２により撮影画像情報を取得する（ステップＳ２２１）。制御部１０は、取得した撮影画像の解析を行い（ステップＳ２２２）、唾液のｐＨ濃度及び唾液に含まれるコルチゾール量を特定する。
【００８３】
制御部１０は、撮影画像情報に含まれる第１検査用紙７１及び第２検査用紙７２の領域を特定する。制御部１０は、例えば撮影画像情報のエッジ検出を行い、撮影画像に含まれる第１検査用紙７１及び第２検査用紙７２の位置情報を特定し、領域を特定する。
【００８４】
制御部１０は、第１検査用紙７１の撮影画像の画素値から、ｐＨ値を特定する。制御部１０は、予め第１検査用紙７１の画素値とｐＨ値とを対応付けて図示しないデータベースに記憶しておき、取得した画素値から対応するｐＨ値を特定する。例えば第１検査用紙７１が赤色に近い色である場合には唾液のｐＨは酸性に近い値となり、第１検査用紙７１が緑色に近い色である場合には唾液のｐＨはアルカリ性に近い値となる。
【００８５】
ついで制御部１０は、第２検査用紙７２の撮影画像の画素値から、コルチゾール（ストレス検出用抗体）量を特定する。制御部１０は、予め第２検査用紙７２の画素値とコルチゾール量とを対応付けて図示しないデータベースに記憶しておき、取得した画素値から対応するコルチゾール量を特定する。第２検査用紙７２には、コルチゾールに特異的に反応するコルチゾール標識抗体であるモノクローナル抗体が含まれている。第２検査用紙７２の色相変化が多く起こった場合には、コルチゾールが多く唾液中に含まれることを示す。
【００８６】
制御部１０は、その他機械学習モデルによりｐＨ値及びコルチゾール量の解析結果情報を特定してもよい。制御部１０は、検査用紙プレート７の撮影画像情報を入力した場合にｐＨ値及びコルチゾール量の情報を出力する学習モデルを予め作成して記憶部１１に記憶しておく。学習モデルは、深層学習を含む機械学習の学習モデルであり、例えばニューラルネットワーク、特にＣＮＮ（Convolution Neural Network）により構成されている。制御部１０は、この学習モデルにより、検査用紙プレート７の撮影画像情報を入力とし出力されるｐＨ値及びコルチゾール量の情報を取得してもよい。
【００８７】
制御部１０は、上記のようにして行われる撮影画像情報の解析結果情報を取得する（ステップＳ２２３）。制御部１０は、取得したこれらの解析結果及びセンサの測定結果を含む結果情報を履歴データベースに記憶する（ステップＳ２０３）。制御部１０は、結果情報を表示させる画面情報を作成し、作成した結果表示画面情報を通信部１２により端末装置２に送信する（ステップＳ２０４）。
【００８８】
端末装置２の制御部２０は、第１通信部２２により結果表示画面情報を取得する（ステップＳ１０６）。制御部２０は、結果表示画面を表示部２４に表示させ（ステップＳ１０７）、一連の処理を終了する。
【００８９】
上記の構成によれば、解析器９に代替して、情報処理装置１で検査用紙プレート７の画像解析が行われる。使用者は、特別な解析装置を用いることなく、より容易に唾液成分の解析情報を得ることができる。
【００９０】
なお、上述のように開示された実施の形態はすべての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００９１】
１  情報処理装置
２  端末装置
３  歯ブラシキット
３１  歯ブラシ
４  第１ヘッド部
５  第２ヘッド部
５１  可動式カメラ
６  柄部
７  検査用紙プレート
７１  第１検査用紙
７２  第２検査用紙
８  ＭＥＭＳチップ
９  解析器
９３  検査用紙解析部
９４  ＭＥＭＳ解析部
９３１  第２挿入部
９４１  第１挿入部
１０，２０，９０  制御部
１１，２１，９１  記憶部
２４  表示部
２６  撮像部
１Ｐ，２Ｐ  プログラム
４１  先端部
４２  ヘッド本体部
４３  蓋部
４２１  収容部
４２２  第１収容部
４２３  第２収容部
４３１  導入穴
６３  ガスセンサ
【図１】
2020186998.tif 000003
【図２】
2020186998.tif 000004
【図３】
2020186998.tif 000005
【図４】
2020186998.tif 000006
【図５】
2020186998.tif 000007
【図６】
2020186998.tif 000008
【図７】
2020186998.tif 000009
【図８】
2020186998.tif 000010
【図９】
2020186998.tif 000011
【図１０】
2020186998.tif 000012
【図１１】
2020186998.tif 000013
【図１２】
2020186998.tif 000014
【図１３】
2020186998.tif 000015
【図１４】
2020186998.tif 000016
【図１５】
2020186998.tif 000017